(57)【要約】【課題】複数台のＰＷＭコンバータにおいて搬送波周波数よりも低い周波数領域で発生する高調波、特に交流架線周波数（基本周波数）の整数次高調波成分の増大を抑制することにある。【解決手段】所定の搬送波に基づいて交流架線１の交流を直流に変換する電力変換装置８を備えた交流電気車の制御装置１２において、交流架線電圧ａの検出器７と、交流架線電圧の位相ｄの検出手段２２と、内部電源周波数ｉを積分して内部電源位相ｊを出力する積分手段２７と、位相ｄと位相ｊの偏差に基づいて電源周波数偏差ｆを演算する演算手段２４と、偏差ｆに内部電源周波数基準値ｈを加算して周波数ｉを求める手段２６とを備え、交流架線電圧位相と内部電源位相が同期するように内部電源周波数を制御し、内部電源周波数に基づいて搬送波周波数ｋを演算する。この周波数ｋを積分して搬送波位相ｌを求め、位相ｌに基づいてコンバータ８を制御する搬送波ｏを生成する。【選択図】    図１
2004266911.tif 000002
【特許請求の範囲】
【請求項１】
所定の搬送波に基づいて電力変換素子の導通状態を制御することにより交流架線から入力した交流電力を直流電力に変換する電力変換装置を備えた交流電気車の制御装置において、
交流架線電圧の検出器と、前記交流架線電圧の位相検出手段と、内部電源周波数を積分して内部電源位相を出力する積分手段と、前記交流架線電圧位相と前記内部電源位相の偏差に基づいて電源周波数偏差を演算する演算手段と、前記電源周波数偏差に内部電源周波数基準値を加算して前記内部電源周波数を求める手段とを備え、前記交流架線電圧位相と前記内部電源位相が同期するように前記内部電源周波数を制御し、前記内部電源周波数に基づいて搬送波周波数を演算することを特徴とする交流電気車の制御装置。
【請求項２】
請求項１において、前記搬送波周波数を積分して搬送波位相を求め、前記搬送波位相に基づいて前記電力変換素子の導通状態を制御する搬送波を生成することを特徴とする交流電気車の制御装置。
【請求項３】
請求項１または請求項２において、前記電源周波数偏差を演算する演算手段として複数の電源周波数偏差を演算する演算手段を備えると共、電気車の走行状態を入力する入力手段を設け、前記電気車の走行状態に応じて前記複数の演算手段を切り替えることを特徴とする交流電気車の制御装置。
【請求項４】
請求項１または請求項２において、電気車の走行状態を入力する入力手段を設け、前記電気車の走行状態に応じて前記積分手段を任意の初期値にリセットすることを特徴とする交流電気車の制御装置。
【発明の詳細な説明】
【０００１】
【発明の属する技術分野】
本発明は、所定の搬送波に基づいて交流架線から入力した交流電力を直流電力に変換する電力変換装置を備えた交流電気車の制御装置に関する。
【０００２】
【従来の技術】
従来の交流電気車、とりわけ所定の搬送波に基づいて電力変換素子の導通状態を制御することにより、交流架線から入力した交流電力を直流電力に変換する電力変換装置（以下、ＰＷＭコンバータ）を備えた交流電気車において、ＰＷＭコンバータを複数台並列接続して動作させる場合に、それらの搬送波周波数を同一とし、かつ、これらの搬送波の位相差を適切な値に設定することによって、搬送波の所定の整数次高調波成分を打ち消し合い、交流架線に還流される所定の高調波成分を低減可能な技術が知られている。この技術はＰＷＭコンバータの搬送波位相差運転と呼ばれ、公知の技術となっている（例えば、非特許文献１参照）。実際には、複数のＰＷＭコンバータに対して如何にして搬送波位相の同期を行うのか、その実現手段が課題となる。特に交流電気車の分野においては、電力変換素子にＧＴＯサイリスタ等を用いた場合、交流架線周波数に対して搬送波周波数はその１０倍程度が上限となるため、一般に交流架線周波数と搬送波周波数を非同期にすることは困難である。このため、通常、搬送波周波数を交流架線周波数の整数倍に設定する同期ＰＷＭ方式が用いられる。同期ＰＷＭ方式の場合、各コンバータは搬送波位相を交流架線に同期させて運転することになるため、複数台のＰＷＭコンバータが搬送波位相差運転を行う場合、必然的に共通の交流架線電圧信号を位相基準にして各搬送波の位相差を設定する。
この搬送波位相差運転を実現するに当たって、交流架線電圧信号のゼロクロス点を検出して矩形波に加工した同期信号を生成し、この同期信号が入力されるたびに、搬送波の初期位相を所定の値に設定する手段を備え、複数台のＰＷＭコンバータを並列動作させる場合には、搬送波の初期位相をそれぞれ異なる適切な値に設定することによって搬送波位相差運転を実現している（例えば、特許文献１参照）。
【０００３】
【非特許文献１】
電気学会発行「電気鉄道研究会資料」ＲＡＴ−８６−５
【特許文献１】
特開平７−２７４５１７号公報
【０００４】
【発明が解決しようとする課題】
上記従来技術は、基本的に搬送波周波数一定とし、外部から入力される交流架線電圧信号に基づいて搬送波の初期位相を設定するものである。ところが実際に交流電気車に供給される交流架線周波数は、必ずしも厳密に固定値という訳ではなく、微小な変動幅を許容したものとなっている。また、交流架線電圧信号は、交流架線電圧を直接検出することは稀であり、実際は変圧器を介して低電圧に変換された交流電圧信号を検出する場合が多く、さらに交流電気車の場合、１台の変圧器で複数台のＰＷＭコンバータに電力を供給する、すなわち１台の変圧器に複数の低圧側巻線が接続されている場合が多い。このような場合、変圧器の相互インダクタンスによって、他巻線に流れる交流電流は交流架線電圧の検出値に影響を及ぼす。
以上の理由から、交流電気車の制御装置に入力される交流架線電圧信号は、定常的な周波数変動（偏差）および交流的な外乱が重畳される。したがって、このような交流架線電圧信号に基づいて搬送波の初期位相を設定すると、交流架線電圧信号のゼロクロス点で搬送波位相が不連続になるため、正確なパルス出力が困難になる。ただし、このような場合においても、複数台のＰＷＭコンバータの搬送波の位相差は確立されているので、搬送波の整数次高調波成分が大幅に増大することはないが、むしろ搬送波周波数よりも低い周波数領域、例えば交流架線周波数（基本周波数）の整数次高調波成分が増大してしまうという課題があった。
【０００５】
本発明の課題は、複数台のＰＷＭコンバータにおいて搬送波周波数よりも低い周波数領域で発生する高調波、特に交流架線周波数（基本周波数）の整数次高調波成分の増大を抑制するに好適な交流電気車の制御装置を提供することにある。
【０００６】
【課題を解決するための手段】
上記課題を解決するために、交流架線電圧の検出器と、交流架線電圧の位相検出手段と、内部電源周波数を積分して内部電源位相を出力する積分手段と、交流架線電圧位相と内部電源位相の偏差に基づいて電源周波数偏差を演算する演算手段と、電源周波数偏差に内部電源周波数基準値を加算して内部電源周波数を求める手段とを備え、交流架線電圧位相と内部電源位相が同期するように内部電源周波数を制御し、内部電源周波数に基づいて搬送波周波数を演算する。
ここで、搬送波周波数を積分して搬送波位相を求め、搬送波位相に基づいて電力変換素子の導通状態を制御する搬送波を生成する。
ここで、電源周波数偏差を演算する演算手段として複数の電源周波数偏差を演算する演算手段を備えると共、電気車の走行状態を入力する入力手段を設け、電気車の走行状態に応じて複数の演算手段を切り替える。
ここで、電気車の走行状態を入力する入力手段を設け、電気車の走行状態に応じて積分手段を任意の初期値にリセットする。
【０００７】
本発明は、交流架線電圧の位相に基づいて搬送波周波数を制御することにより、その積分値である搬送波位相が連続的に変化するため、各ＰＷＭコンバータは、搬送波周波数よりも低い周波数領域で発生する高調波、特に交流架線周波数（基本周波数）の整数次高調波成分の増大を抑制することができる。
【０００８】
【発明の実施の形態】
以下、本発明の実施形態を図面を用いて説明する。
図１は、本発明の一実施形態による交流電気車の制御装置の構成を示すブロック図である。図１において、交流電力を供給する交流架線１にパンタグラフ２が接し、パンタグラフ２は主変圧器３の一次巻線４（高圧側巻線）側に接続される。主変圧器３の低圧側巻線は２種類用意されており、そのうちの二次巻線５は電気車を駆動する電力供給に使用され、ＰＷＭコンバータ８に接続されている。ＰＷＭコンバータ８は、コンバータ制御装置１２から出力されるゲートパルス信号ｑによって制御され、二次巻線５から供給される交流電力を直流電力に変換する電力変換装置である。ＰＷＭコンバータ８の供給する直流電力は、フィルタコンデンサ１０を介してＰＷＭインバータ９に供給される。ＰＷＭインバータ９は、ＰＷＭコンバータ８より供給される直流電力を所定の周波数の交流電力に変換する電力変換装置であり、供給する交流電力によって誘導電動機１１を駆動する。一方、主変圧器３のもう一つの低圧側巻線である三次巻線６は、コンバータ制御装置１２に接続されている。
【０００９】
コンバータ制御装置１２において、主変圧器３の三次巻線６は交流電圧センサ７に接続され、交流電圧センサ７は検出した三次巻線電圧を交流架線電圧信号ａとして出力する。バンドパスフィルタ２０は、交流架線周波数を通過周波数とするフィルタであり、交流架線電圧信号ａを入力し、入力信号ａに含まれる高調波成分（主としてＰＷＭコンバータによるスイッチングノイズ）を除去した信号ｂを出力する。ヒステリシス付比較器２１は、バンドパスフィルタ２０の出力する交流架線電圧信号の基本波ｂを入力し、これを矩形波ｃに変換して出力する。位相計測カウンタ２２は、常時インクリメントするカウンタであり、交流架線電圧信号の矩形波ｃを入力とし、入力信号ｃの立ち上がりエッジを検出してカウンタをゼロクリアする仕組みになっており、そのカウンタ値を交流架線位相ｄとして出力する。
減算器２３は、位相計測カウンタ２２の出力する交流架線位相ｄと、積分器２７の出力する内部電源位相ｊとの偏差（架線位相差）ｅを求める。ＰＩ制御器２４は、架線位相差ｅを入力とし、これがゼロとなるような電源周波数偏差ｆを出力する。リミッタ２５は、ＰＩ制御器２４の出力する電源周波数偏差ｆが制御可能な範囲かどうかをチェックし、もしも可能であれば、入力信号ｆをそのまま出力信号（内部電源周波数補正量）ｇとしてスルー出力し、もしも不可能であれば制御可能な最大値（または最小値）に補正し、これを出力信号（内部電源周波数補正量）ｇとする。加算器２６は、リミッタ２５の出力する電源周波数補正量ｇと内部電源周波数基準値ｈを加算し、内部電源周波数ｉを出力する。積分器２７は、内部電源周波数ｉを積分し、内部電源位相ｊを出力する。
ゲイン２８は、内部電源周波数ｉを整数倍して搬送波周波数ｋを求める乗算器である。積分器２９は、ゲイン２８の出力した搬送波周波数ｋを積分し、搬送波位相ｌを求める。
加算器３０は、積分器２９の出力する搬送波位相ｌを搬送波位相差ｍと加算し、搬送波位相差運転用の搬送波位相ｎを出力する。搬送波テーブル３１は、搬送波位相ｎを入力とし、内部テーブルを参照して搬送波ｏを出力する。比較器３２は、搬送波テーブル３１の出力する搬送波ｏと、瞬時電流制御器（本発明においては説明は不要であるため省略し、記載していない）の出力する瞬時変調率ｐを比較し、ゲートパルス信号ｑを出力する。
【００１０】
本実施形態は、減算器２３、ＰＩ制御器２４、リミッタ２５、加算器２６および積分器２７からなる構成によって、基本的に交流架線位相ｄに対して内部電源位相ｊを瞬時に追従させないで、ＰＩ制御器２４の制御ゲインによって規定される時定数に応じて追従させる。ここで、ＰＩ制御器２４の制御ゲインＫを小さくし、交流架線位相ｄに対して内部電源位相ｊを遅れてゆっくり且つ連続して追従させる。また、交流架線位相ｄの変動に対して、内部電源位相ｊはＰＩ制御器２４の制御ゲインによって規定される遮断周波数より高い周波数成分の変動に対しては追従しない（ローパスフイルタとして機能する。）。このため、内部電源周波数ｉは、架線周波数に同期し、安定した周波数となる。
また、ゲイン２８および積分器２９からなる構成によって、搬送波周波数ｋは、こうして生成される内部電源周波数ｉをゲイン２８による定数倍（例えばＮ倍）して求めたものであるから、含まれる周波数成分は内部電源周波数ｉと等しい。したがって、搬送波周波数ｋを積分して求めた搬送波位相ｌに含まれる周波数成分は、内部電源位相ｊと等しい。
したがって、搬送波位相ｌは、交流架線位相ｄの変動に対してＰＩ制御器２４の制御ゲインによって規定される遮断周波数より高い周波数成分の外乱を除去することができ、この結果、交流架線周波数の定常的な偏差に対しては追従し、交流的な外乱に対してはこれを遮断することになり、安定した搬送波位相ｌを供給することができ、安定したゲートパルスｑを出力することが可能になる。
基本的に、交流架線電圧に重畳される外乱のうち、主としてＰＷＭコンバータによるスイッチングノイズ等の搬送波周波数領域の高周波成分はバンドパスフィルタ２０によって除去されるが、通過帯域である交流架線周波数近傍の変動を完全に除去することは困難である。本実施形態によるコンバータ制御装置１２は、バンドパスフィルタ２０を通過してきた交流的な外乱に対しても、これに影響されずに安定した搬送波位相を生成し、安定したゲートパルスを出力することができため、交流架線周波数の整数次高調波を低減することが可能になる。
【００１１】
図２は、本発明の他の実施形態を示す。図２において、コンバータ制御装置１２ａは、図１に示すコンバータ制御装置１２と比較して、時定数の異なるＰＩ制御器２４ａおよびＰＩ制御器２４ｂ（ここで、ＰＩ制御器２４ａの制御ゲイン＜ＰＩ制御器２４ｂの制御ゲインとする。）を備えており、各ＰＩ制御器の出力する電源周波数偏差ｆ１およびｆ２は、ともに入力切替スイッチ３５に入力され、入力切替スイッチ３５は、運転指令入力装置３３の出力するコンバータゲートスタート信号ｒに基づいて電源周波数偏差ｆ１およびｆ２のいずれかを選択し、これを出力信号（電源周波数偏差）ｆ３としてリミッタ３５に入力する構成となっている点が特徴である。
コンバータ制御装置１２ａは、ＰＩ制御器２４ａおよびＰＩ制御器２４ｂ、入力切替スイッチ３５からなる構成をとることによって、交流電気車の走行状態に応じてＰＩ制御器の制御ゲインを切り替える。すなわち、交流架線位相ｄの変動に対する応答時定数、あるいは遮断周波数を切り替える。
ＰＷＭコンバータ８のＰＷＭ出力を停止させるゲートストップ中は、高ゲインのＰＩ制御器２４ｂを選択し、交流架線位相ｄに内部電源位相ｊを素早く追従させて初期位相を確立させる（ゲートストップ中であるので、高速に応答しても高調波が増大することはない。）。一方、ゲートスタート中は、低ゲインのＰＩ制御器２４ａを選択し、図１に示す実施形態と同様に、交流架線位相ｄに含まれる交流的な外乱を遮断する。
【００１２】
図３は、本発明の他の実施形態を示す。図３において、コンバータ制御装置１２ｂは、図１に示すコンバータ制御装置１２と比較して、リミッタ２５は、その出力信号ｇが入力信号ｆに対してリミッタ制限される場合に、リミッタ検知信号ｓを出力し、ＡＮＤゲート３４は、リミッタ検知信号ｓと運転指令入力装置３３の出力するコンバータゲートスタート信号ｒの論理積ｔを積分器２７に出力する構成となっている点が特徴である。
コンバータ制御装置１２ｂは、このような構成をとることによって、コンバータのＰＷＭ出力を停止させるゲートストップ中に、リミッタ２５によって電源周波数偏差ｆがリミッタ制限を受ける場合（これは交流架線位相ｄと内部電源位相ｊの偏差が大きい場合、すなわちＰＩ制御器２４のゲインの規定する応答時定数では、初期位相の収束に時間がかかり過ぎると判断した場合）には、強制的に積分器２７の初期値をリセットし、架線位相差ｅがゼロとなるような初期位相を瞬時に設定する。このとき内部電源位相差および搬送波位相は不連続に変化するが、コンバータゲートストップ中のため、高調波が増大することはない。
また、一度、初期位相を設定すると、架線位相差ｅは微小な偏差となるため、電源周波数偏差ｆがリミッタ２５によってリミッタ制限を受けることもなく、いつでもコンバータゲートスタート可能な状態となっている。この状態からコンバータゲートスタートしても、初期位相は十分確立されており、かつ、ＰＩ制御器２４によって交流架線位相ｄに含まれる交流的な外乱を遮断することができる。
【００１３】
ここで、図４〜図１５を用いて、従来技術および本発明に基づくシミュレーション波形を説明する。
図４〜図９は、従来技術に基づくシミュレーション波形を示す。
従来技術による電力変換装置の諸元は、
（１）交流架線周波数５０Ｈｚ
（２）搬送波周波数１０５０Ｈｚ（交流架線周波数５０Ｈｚ×２１パルス）
（３）周期信号の立ち上がりエッジで搬送波位相をゼロリセット（強制同期）する、
とする。
図４〜図６は、交流架線周波数４９．７Ｈｚの場合である。
図４に、従来技術によるコンバータＰＷＭ波形を示す。横軸の単位は秒（ｓ）である。また、同期信号とは、図１における交流架線電圧信号ｃのことである。また、Ｕ相パルスおよびＶ相パルスとは、図１におけるゲートパルス信号ｑのことである。交流架線周波数５０Ｈｚよりも小さいので、交流架線周期は２０ｍｓよりも長くなり、かつ、同期信号の立ち上がりエッジで強制的に搬送波位相をゼロリセットするため、この前後のパルス幅が理想よりも長くなっている。
このときの主変圧器二次電流波形を図５に示す。横軸の単位は秒（ｓ）であり、縦軸の単位はアンペア（Ａ）である。主変圧器二次電流とは、図１における主変圧器二次巻線５を流れる電流である。主変圧器二次電流とコンバータ電圧の関係は、簡易的には
［主変圧器二次電流］∝［主変圧器二次電圧］−［コンバータ電圧］
と近似できる。
図４において、同期信号の立ち上がり前後でパルス幅が理想よりも長くなり、ここで０．１５秒，０．３５秒のＵ相パルスに注目すると、パルス幅が広くなり、パルス幅に不連続が生ずるため、コンバータ電圧が理想よりも大きくなった。このため、図５において、主変圧器二次電流は０．１５秒，０．３５秒付近においてパルス幅が広くなった分波形が歪み、同期信号の立ち上がり前後で理想よりも小さくなっている。
このときの主変圧器二次電流の周波数特性を図６に示す。横軸の単位は周波数（Ｈｚ）であり、縦軸の単位はアンペア（Ａ）である。図６の最大振幅（最も左側の波形）は基本波成分であり、２１００Ｈｚおよび４２００Ｈｚ付近の高調波（比較的振幅の大きい波形）は、搬送波周波数１０５０Ｈｚの高調波である。一方、図５において同期信号の立ち上がりエッジ前後で毎回、すなわち交流架線周波数４９．７Ｈｚで主変圧器二次電流波形が歪んでいるので、その影響として交流架線周波数の整数倍の高調波が生じている。
【００１４】
図７〜図９は、交流架線周波数５０．３Ｈｚの場合である。
図７に、従来技術によるコンバータＰＷＭ波形を示す。交流架線周波数は５０Ｈｚよりも大きいので、交流架線周期は２０ｍｓよりも短くなり、かつ、同期信号の立ち上がりエッジで強制的に搬送波位相をゼロリセットするため、この前後でパルス幅に不連続が生じ、パルス幅が理想よりも短くなる。特に、図７の０．２０秒においてはＵ相パルスが出力されていない。
このときの主変圧器二次電流波形を図８に示す。図７において同期信号の立ち上がり前後でパルス幅が理想よりも短くなり、コンバータ電圧が理想よりも小さくなった。このため、図８の０．２０秒付近において、主変圧器二次電流は同期信号の立ち上がり前後で理想よりも大きくなっている。
このときの主変圧器二次電流の周波数特性を図９に示す。図８において同期信号の立ち上がりエッジ前後で毎回、すなわち交流架線周波数５０．３Ｈｚで主変圧器二次電流波形が歪んでいるので、その影響として交流架線周波数の整数倍の高調波が生じている。
【００１５】
図１０〜図１５は、本発明によるシミュレーション波形を示す。
本発明による電力変換装置の諸元は、
（１）交流架線周波数４８．５〜５１．５Ｈｚに対応
（２）搬送波周波数＝内部電源周波数×２１パルス
（３）周期信号と内部電源位相が同期するように内部電源周波数を制御する、
とする。
図１０〜図１２は、図４〜図６と同様、交流架線周波数４９．７Ｈｚの場合である。
図１０に、本発明によるコンバータＰＷＭ波形を示す。本発明は、交流架線位相と内部電源位相が同期するよう内部電源周波数を制御し、これに基づいて搬送波周波数を決定するので、図４で見られた同期信号の立ち上がりエッジ前後、ここで０．１５秒，０．３５秒のＵ相パルスに注目すると、パルス幅が広くなり、パルス幅が不連続になるような不正パルスを解消している。
このときの主変圧器二次電流波形を図１１に示す。図５で見られた同期信号の立ち上がりエッジ前後、０．１５秒，０．３５秒付近での主変圧器二次電流波形の歪みを解消している。
このときの主変圧器二次電流の周波数特性を図１２に示す。図６と比較して、交流架線周波数の整数倍の高調波を大幅に低減している。
【００１６】
図１３〜図１５は、図７〜図９と同様、交流架線周波数５０．３Ｈｚの場合である。
図１３に、本発明によるコンバータＰＷＭ波形を示す。本発明は、交流架線位相と内部電源位相が同期するよう内部電源周波数を制御し、これに基づいて搬送波周波数を決定するので、図７で見られた同期信号の立ち上がりエッジ前後でのパルス幅に不連続が生じ、例えばパルスが欠落するような不正パルスを解消している。
このときの主変圧器二次電流波形を図１４に示す。図８で見られた同期信号の立ち上がりエッジ前後、例えば０．２０秒付近での主変圧器二次電流波形の歪みを解消している。
このときの主変圧器二次電流の周波数特性を図１５に示す。図９と比較して、交流架線周波数の整数倍の高調波を大幅に低減している。また、図９と比較すると、２１００Ｈｚおよび４２００Ｈｚ付近の搬送波の周波数が高くなっている。すなわち、交流架線周波数に追従していることが分かる。
【００１７】
【発明の効果】
以上説明したように、本発明によれば、搬送波周波数よりも低い周波数領域で発生する高調波、特に交流架線周波数（基本周波数）の整数次高調波成分の増大を抑制することができる。
【図面の簡単な説明】
【図１】本発明の一実施形態による交流電気車の制御装置の構成を示すブロック図
【図２】本発明の他の実施形態を示すブロック図
【図３】本発明の他の実施形態を示すブロック図
【図４】従来技術によるコンバータＰＷＭ波形（電源周波数４９．７Ｈｚのとき）
【図５】従来技術による主変圧器二次電流波形（電源周波数４９．７Ｈｚのとき）
【図６】従来技術による主変圧器二次電流スペクトル（電源周波数４９．７Ｈｚのとき）
【図７】従来技術によるコンバータＰＷＭ波形（電源周波数５０．３Ｈｚのとき）
【図８】従来技術による主変圧器二次電流波形（電源周波数５０．３Ｈｚのとき）
【図９】従来技術による主変圧器二次電流スペクトル（電源周波数５０．３Ｈｚのとき）
【図１０】本発明によるコンバータＰＷＭ波形（電源周波数４９．７Ｈｚのとき）
【図１１】本発明による主変圧器二次電流波形（電源周波数４９．７Ｈｚのとき）
【図１２】本発明による主変圧器二次電流スペクトル（電源周波数４９．７Ｈｚのとき）
【図１３】本発明によるコンバータＰＷＭ波形（電源周波数５０．３Ｈｚのとき）
【図１４】本発明による主変圧器二次電流波形（電源周波数５０．３Ｈｚのとき）
【図１５】本発明による主変圧器二次電流スペクトル（電源周波数５０．３Ｈｚのとき）
【符号の説明】
１…交流架線、２…パンタグラフ、３…主変圧器、４…主変圧器一次巻線、５…主変圧器二次巻線、６…主変圧器三次巻線、７…交流電圧センサ、８…ＰＷＭコンバータ、９…ＰＷＭインバータ、１０…フィルタコンデンサ、１１…誘導電動機、１２，１２ａ，１２ｂ…コンバータ制御装置、２０…バンドパスフィルタ、２１…ヒステリシス付比較器、２２…位相計測カウンタ、２３…加算器、２４…ＰＩ制御器、２５…リミッタ、２６…加算器、２７…積分器、２８…ゲイン、２９…積分器、３０…加算器、３１…搬送波テーブル、３２…比較器、３３…運転指令入力装置、３４…ＡＮＤゲート、３５…入力切替スイッチ
ａ…交流架線電圧信号（三次巻線経由）、ｂ…交流架線電圧信号（基本波成分）、ｃ…交流架線電圧信号（矩形波）、ｄ…交流架線位相、ｅ…架線位相差、ｆ，ｆ１，ｆ２，ｆ３…電源周波数偏差、ｇ…内部電源周波数補正量、ｈ…内部電源周波数基準値、ｉ…内部電源周波数、ｊ…内部電源位相、ｋ…搬送波周波数、ｌ…搬送波位相、ｍ…搬送波位相差、ｎ…搬送波位相（搬送波位相差運転用）、ｏ…搬送波、ｐ…瞬時変調率、ｑ…ゲートパルス信号、ｒ…コンバータゲートスタート信号、ｓ…リミッタ検知信号、ｔ…積分器２７のリセット信号
【図１】
2004266911.tif 000003
【図２】
2004266911.tif 000004
【図３】
2004266911.tif 000005
【図４】
2004266911.tif 000006
【図５】
2004266911.tif 000007
【図６】
2004266911.tif 000008
【図７】
2004266911.tif 000009
【図８】
2004266911.tif 000010
【図９】
2004266911.tif 000011
【図１０】
2004266911.tif 000012
【図１１】
2004266911.tif 000013
【図１２】
2004266911.tif 000014
【図１３】
2004266911.tif 000015
【図１４】
2004266911.tif 000016
【図１５】
2004266911.tif 000017